(57)【要約】【課題】低コストで重量床衝撃音の良好な遮音性能が得られるようにした天井構造を提供する。【解決手段】天井基材としての梁１と、梁１に吊り部材３を介して支持されて並列状に配置された複数の野縁２、…、２と、野縁２、…、２の下面に固定される天井パネル４と、からなる天井構造に対して、重量が床に比べて１／３〜１／５程度となる天井の野縁２、…、２に複数のダイナミックダンパ５、…、５を設置する。これにより、重量床衝撃音の低減効果を充分に発揮させるために必要なダイナミックダンパ５、…、５のマス部材の総質量を少なくすることができ、低コスト化することができる。【選択図】  図１
2006077517.tif 000002
【特許請求の範囲】
【請求項１】
天井基材と、該天井基材に支持されて並列状に配置される複数の野縁と、該野縁の下面に固定される天井パネルと、からなる天井構造において、
前記野縁にダイナミックダンパが設置されていることを特徴とする天井構造。
【請求項２】
前記ダイナミックダンパは、前記野縁の複数箇所に設置されている請求項１に記載の天井構造。
【請求項３】
前記ダイナミックダンパは、１箇所に１個以上設置されている請求項１又は２に記載の天井構造。
【請求項４】
前記ダイナミックダンパは、１箇所以上の設置箇所で共振周波数が異なるようにチューニングされている請求項１〜３に記載の天井構造。
【請求項５】
前記ダイナミックダンパは、共振周波数が４５〜９０Ｈｚにチューニングされている請求項１〜４に記載の天井構造。
【発明の詳細な説明】
【技術分野】
【０００１】
本発明は、例えば一般住宅や集合住宅（アパート、マンション）等の建築構造物の天井構造に関する。
【背景技術】
【０００２】
一般住宅等においては、床に飛び跳ねや踏み台からの降下等による衝撃が加わると振動が発生し、その振動が不快音や不快震動等の原因となることから問題となる。特に、複数階建ての戸建住宅やマンション等においては、居室や廊下の床に発生する振動や衝撃音が階下に直接的に伝搬されるため、階下の住人にとっては甚だしい騒音となる場合がある。
【０００３】
そこで、一般住宅等の床に発生する振動や衝撃音を抑制するために、従来より種々の対策が講じられており、例えば特許文献１及び２に開示されているように、床衝撃音対策が採られた床構造が知られている。特許文献１には、天井吊木の所定箇所に重錘を取付けた床構造体が開示され、特許文献２には、床構造の振動の大きい部分に該当する天井吊木に重りを取付けた床構造が開示されている。
【０００４】
また、例えば特許文献３〜５に開示されているように、ゴム弾性体（ばね部材）と該ばね部材に弾性支持されたマス部材（質量体）とを備え、床に発生する振動や重量床衝撃音を低減するために梁や根太等に設置されるダイナミックダンパ型の住宅用制振装置が知られている。
【０００５】
ところで、本出願人は、重量床衝撃音対策を検討している過程で、並列に配置された複数の床パネルからなる床材に対してダイナミックダンパを所定箇所に設置することによって、重量床衝撃音を５ｄＢ低減して床の遮音性能の評価を１ランク向上させ得ることを見い出し、先に提案している。一方、床の遮音性能を向上させる方策として床の重量を重くする方法が有効であることが知られており、上記提案の方法の場合にも、床材の重量を重くした方が有利となる。
【０００６】
しかし、上記提案の方法において、重量床衝撃音の低減効果を充分に発揮させるためには、ダイナミックダンパに用いられるマス部材の総合質量が床材の総合質量の１３％程度必要になることから、ダイナミックダンパの個数が多くなり、高コストを招き易い。
【特許文献１】特許第２５１８９６１号公報
【特許文献２】特許第２５５２７６２号公報
【特許文献３】特開２００４−３２８０号公報
【特許文献４】特開２００３−２７８４０９号公報
【特許文献５】特開２０００−３５５９９４号公報
【発明の開示】
【発明が解決しようとする課題】
【０００７】
本発明は上記実状に鑑みてなされたものであり、低コストで重量床衝撃音の良好な遮音性能が得られるようにした天井構造を提供することを解決すべき課題とするものである。
【課題を解決するための手段】
【０００８】
上記課題を解決する本発明は、天井基材と、該天井基材に支持されて並列状に配置される複数の野縁と、該野縁の下面に固定される天井パネルと、からなる天井構造において、前記野縁にダイナミックダンパが設置されていることを特徴としている。
【０００９】
本発明の天井構造では、上階の床に、飛び跳ねや踏み台からの下降等による衝撃が加わって振動や衝撃音が発生すると、その振動や衝撃音が下階の野縁や天井パネル等からなる天井に伝達され、その天井も振動する。このとき、野縁に設置されたダイナミックダンパと共振することによって、天井の振動が効果的に減衰され、下階へ伝搬される重量床衝撃音が効果的に低減される。
【００１０】
本発明の場合には、重量が床に比べて１／３〜１／５程度となる天井の野縁にダイナミックダンパが設置されるので、重量床衝撃音の低減効果を充分に発揮させるために必要なダイナミックダンパのマス部材の総質量を少なくすることができる。そのため、ダイナミックダンパの設置個数を少なくしたり、各ダイナミックダンパの大きさを小さくすることが可能となり、低コスト化を図ることができる。これにより、低コストで、床にダイナミックダンパを設置した場合と同等の重量床衝撃音の低減効果を得ることが可能となる。
【００１１】
本発明において用いられるダイナミックダンパは、基部に固着されたばね部材と該ばね部材に弾性支持されたマス部材とからなるものである。このダイナミックダンパは、野縁の下面の複数箇所に略均等に分散した状態に設置されるのが好ましく、１箇所に１個以上のダイナミックダンパが設置される。１箇所に複数個のダイナミックダンパを設置する場合には、複数個のダイナミックダンパを有する１個の制振装置を１箇所に設置するようにしてもよい。このような制振装置を採用する場合には、複数個のダイナミックダンパにより複数種類の共振周波数を有するようにチューニングすることができる。
【００１２】
ダイナミックダンパの共振周波数は、野縁や天井パネル等からなる天井の固有値に合わせて、６３Ｈｚ帯域（４５〜９０Ｈｚ）の範囲にチューニングされているのが好ましい。このようにすれば、ダイナミックダンパを効果的に機能させることができるので、より良好な重量床衝撃音の低減が期待できる。なお、１箇所以上の設置個所でダイナミックダンパの共振周波数が異なるようにチューニングすることによって、天井固有値の上下の範囲で複数種類の共振周波数を有するように設定することができる。このようにすれば、振動低減を目的とする周波数に幅をもたせることができるので、構造物件の違い等による天井固有値のバラツキを吸収することが可能となり、ダイナミックダンパの振動低減機能をより確実に発揮させることができる。
【００１３】
なお、本発明における天井基材は、上階の床を支持する梁や、その梁の下方に配設されて下階の部屋等を区画形成する内壁の上方部分が対象となる。また、野縁は、金属製や木製のものなど任意のものを採用することができる。また、天井パネルは、例えば石膏ボードや合板など従来より使用されているものから適宜選択して採用することができる。
【発明の効果】
【００１４】
本発明の天井構造は、天井基材に支持されて並列状に配置される複数の野縁にダイナミックダンパが設置されているため、低コストで重量床衝撃音の良好な遮音性能が得られるようにすることができる。
【発明を実施するための最良の形態】
【００１５】
以下、本発明の実施形態を図面に基づいて説明する。
図１は本実施形態に係る天井構造の断面図であって図２のＩ−Ｉ線矢視断面図であり、図２はその天井構造の平面図である。
【００１６】
本実施形態の天井構造は、図１及び図２に示すように、天井基材としての梁１と、梁１に吊り部材３を介して支持されて並列状に配置された複数の野縁２、…、２と、野縁２、…、２の下面に固定される天井パネル４と、野縁２、…、２に設置された複数のダイナミックダンパ５、…、５と、から構成されている。
【００１７】
梁１は、Ｈ型鋼が採用されており、２本の縦梁１ａ、１ｂと、その縦梁１ａ、１ｂの両端どうしを結ぶ２本の横梁１ｃ、１ｅ及び中央部どうしを結ぶ１本の横梁１ｄとからなる。この梁１の外周に位置する縦梁１ａ、１ｂ及び横梁１ｃ、１ｅは、それらの両端部どうしがボルト（図示せず）等で固定されて矩形に組まれている。また、この梁１の中央に位置する横梁１ｄは、その両端部がそれぞれ縦梁１ａ、１ｂの中央部にボルト（図示せず）等で固定されている。
【００１８】
なお、図１に示すように、梁１上には、上階の床を形成する床材としての軽量気泡コンクリート（ＡＬＣ）製の床パネル１２及び表面仕上げ材１３が配設されている。また、矩形に組まれた縦梁１ａ、１ｂ及び横梁１ｃ、１ｅの下方には、下階の部屋を区画形成する内壁１５が配設されている。横梁１ｃ、１ｅの下方に配設された内壁１５の天井部内面には、野縁２、…、２の端部を固定保持する断面コの字状の固定金具１６が設けられている。
【００１９】
野縁２、…、２は、９本の金属製角パイプが採用されており、縦梁１ａ、１ｂと平行な状態で互いに所定距離を隔てて並列状に配置されている。各野縁２、…、２の両端部は、内壁１５の天井部内面に設けられた固定金具１６にボルト（図示せず）等で固定され支持されている。また、各野縁２、…、２の中央部は、横梁１ｄの下端に取付けられた野縁受３ａ及び吊り金具３ｂからなる吊り部材３を介して吊り下げ支持されている。この野縁２、…、２の下面には、石膏ボード等からなる天井パネル４が、接着剤やビス（図示せず）等で固定されている。
【００２０】
なお、野縁２、…、２、吊り部材３及び天井パネル４により構成される天井の重量は、約２００ｋｇであり、床パネル１２及び表面仕上げ材１３により構成される床の重量の１／４程度になっている。
【００２１】
ダイナミックダンパ５、…、５は、図３及び図４に示すように、取付金具６の基部６ａに固着された円柱状のゴム弾性体（ばね部材）５ａと、ゴム弾性体５ａに弾性支持された円柱状のマス部材（質量体）５ｂとからなり、床に振動等が発生した時に、ゴム弾性部材（ばね部材）５ａが圧縮、引張変形する圧縮タイプのダイナミックダンパである。ダイナミックダンパ５、…、５の共振周波数は、天井固有値の上下の範囲で複数種類の共振周波数を有するようにして、６３Ｈｚ帯域（４５〜９０Ｈｚ）の範囲にチューニングされている。
【００２２】
ここで用いられる取付金具６は、平面状の基部６ａと、基部６ａの両端に屈曲形成された一対の側部６ｂとからなり、断面が略コの字状に形成されている。各側部６ｂには、図４に示すように、取付金具６の基部６ａが野縁２の上面に装着されたときに、野縁２の両側面上端部に形成された段部２ａに係合して野縁２からの抜け出しを阻止するストッパ部６ｃが設けられている。
【００２３】
このダイナミックダンパ５、…、５は、上記取付金具６を介して野縁２、…、２に取付けられ、図２に示すように、両側の２本の野縁２、２を除く７本の野縁２、…、２に対して８個づつ合計５６個が設置されている。この場合、縦梁１ａ、１ｂと横梁１ｃ、１ｄにより構成される梁伏Ａの範囲と、縦梁１ａ、１ｂと横梁１ｄ、１ｅにより構成される梁伏Ｂの範囲に対して、それぞれ２８個のダイナミックダンパ５、…、５が所定距離（３３０ｍｍ）隔てて略均等に分散した状態に設置されている。
【００２４】
また、ダイナミックダンパ５、…、５は、図５及び図６に示すように、取付金具６の基部６ａの形状をＬ字状にさせて、その側面に固着された円柱状のゴム弾性部材（ばね部材）５ａと、床に振動等が発生した時に、ゴム弾性部材（ばね部材）５ａが剪断変形するようにそのゴム弾性部材（ばね部材）５ａに片持ちで弾性支持された円柱状のマス部材（質量体）５ｂとからなる、剪断タイプのダイナミックダンパであってもよい。取付金具６の形状及びその取付金具６の野縁２への取付構造については、圧縮タイプのダイナミックダンパの実施形態と同じになっている。
【００２５】
以上のように構成された本実施形態の天井構造では、床パネル１２及び表面仕上げ材１３により構成される上階の床に、飛び跳ねや踏み台からの下降等による衝撃が加わって振動や衝撃音が発生すると、その振動や衝撃音が野縁２、…、２や野縁受３ａ、吊り金具３ｂ及び天井パネル４により構成される下階の天井に伝達され、その天井も振動する。このとき、野縁２、…、２に設置されたダイナミックダンパ５、…、５が野縁２、…、２等と共振することによって、天井の振動が効果的に減衰され、下階へ伝搬される重量床衝撃音が効果的に低減される。
【００２６】
本実施形態の天井構造の場合には、重量が床に比べて１／４程度となる天井の野縁２、…、２にダイナミックダンパ５、…、５が設置されているので、重量床衝撃音の低減効果を充分に発揮させるために必要なダイナミックダンパ５、…、５のマス部材５２の総質量を少なくすることができる。そのため、ダイナミックダンパ５、…、５の設置個数を少なくしたり、各ダイナミックダンパ５、…、５の大きさを小さくすることにより低コスト化が図られている。これにより、低コストで、床にダイナミックダンパ５、…、５を設置した場合と同等の重量床衝撃音の低減効果が得られる。
【００２７】
以上のように、本実施形態の天井構造によれば、天井基材に支持されて並列状に配置される複数の野縁２、…、２にダイナミックダンパ５、…、５が設置されているため、低コストで重量床衝撃音の良好な遮音性能が得られるようにすることができる。
【図面の簡単な説明】
【００２８】
【図１】本発明の実施形態に係る天井構造の断面図であって図２のＩ−Ｉ線矢視断面図である。
【図２】本発明の実施形態に係る天井構造の平面図である。
【図３】本発明の実施形態において用いられるダイナミックダンパの正面図である。
【図４】本発明の実施形態において用いられるダイナミックダンパが野縁に取り付けられた状態を示す斜視図である。
【図５】本発明の別の実施形態において用いられるダイナミックダンパの正面図である。
【図６】本発明の別の実施形態において用いられるダイナミックダンパが野縁に取り付けられた状態を示す斜視図である。
【符号の説明】
【００２９】
１…梁    １ａ、１ｂ…縦梁    １ｃ、１ｄ、１ｅ…横梁    ２…野縁
２ａ…段部    ３…吊り部材    ３ａ…野縁受    ３ｂ…吊り金具
４…天井パネル    ５…ダイナミックダンパ    ５ａ…ゴム弾性体
５ｂ…マス部材    ６…取付金具    ６ａ…基部    ６ｂ…側部
６ｃ…ストッパ部    １２…床パネル    １３…表面仕上げ材    １５…内壁
１６…固定金具
【図１】
2006077517.tif 000003
【図２】
2006077517.tif 000004
【図３】
2006077517.tif 000005
【図４】
2006077517.tif 000006
【図５】
2006077517.tif 000007
【図６】
2006077517.tif 000008